(57)【要約】      （修正有）【課題】規定空間中に放置できる水耕箱体の数量を増し、ひいては野菜水耕用棚の占用空間を節約する野菜水耕用棚を提供する。【解決手段】この野菜水耕用棚は、ベースフレーム１と水耕箱体２を具え、該ベースフレームは対向するように矩形に配列される四つの支柱１１を具え、各支柱の一側に保持部１１１が設けられ、各支柱の別側に比較的大きな外径の接続部１１２が設けられ、接続部の保持部から離れた一側に挿入溝１１３が凹設され、短辺にある二つの支柱の間は支持ロッド１２で連接され、二つの支柱と支持ロッドがＨ形を呈し、さらに二つの支持ロッドの間に連接ロッド１３が設けられ、二つの支持ロッドと連接ロッド上に水耕箱体が設置され、ベースフレームは四つの支柱の挿入溝に別のベースフレームの四つの保持部を挿入でき、それにより複数のベースフレームと水耕箱体が上下に積み重ねられる。【選択図】図２
0003166263.tif 000002
【実用新案登録請求の範囲】
【請求項１】
野菜水耕用棚において、一つ或いは複数のベースフレームと水耕箱体を具え、
該ベースフレームは対向するように矩形に配列される四つの支柱を具え、各支柱の一側に保持部が設けられ、各保持部に高さを調整可能な調整足が設けられ、各支柱の別側に径が拡大された接続部が設けられ、接続部の該保持部から離れた一側に隣り合って積み重ねられるベースフレームの保持部が挿入されて位置決めされる挿入溝が凹設され、短辺の二つの支柱の間は支持ロッドで連接されてＨ形が形成され、さらに二つの該支持ロッドの間に連接ロッドが設けられ、
該水耕箱体は二つの該支持ロッド及び該連接ロッド上に設置され、該水耕箱体の内部に水と野菜を収容するための収容空間が形成され、該収容空間上が定植板で覆われ、該定植板に野菜を伸出させる複数の定植孔が設けられたことを特徴とする、野菜水耕用棚。
【請求項２】
請求項１記載の野菜水耕用棚において、各該ベースフレームの支持ロッドの中央に固定孔が設けられ、該連接ロッドの２端面に、各該支持ロッドの中央の該固定孔に対応するネジ孔が設けられ、各該ネジ孔内に、先に該支持ロッドの中央の該固定孔に通されたネジ部品がねじ込まれることを特徴とする、野菜水耕用棚。
【請求項３】
請求項１記載の野菜水耕用棚において、一つ或いは複数の該ベースフレームの上方にさらにトップフレームが取付けられ、該トップフレームに下方の該ベースフレームの挿入溝にアラインされ挿入される保持部が設けられ、この保持部の別側に、中央に向けて折り曲げられた折り曲げ部が延伸され、複数の該折り曲げ部の、ベースフレームに近い一側に一つ或いは複数の、下方の水耕箱体に向けて光線を発射するランプが設けられ、且つ任意のベースフレームは上方に積み重ねられたベースフレームの連接ロッドの下方に植物ランプを取付けられ、該植物ランプは下方のベースフレーム上の水耕箱体に向けて光線を照射することを特徴とする、野菜水耕用棚。
【請求項４】
請求項１記載の野菜水耕用棚において、一つ或いは複数の該ベースフレームの上方にさらにトップフレームが取付けられ、該トップフレームに下方のベースフレームの挿入溝にアラインされ挿入される保持部が設けられ、該トップフレームの保持部の別側に、中央に向けて折り曲げられた折り曲げ部が延伸され、一つ或いは複数の該ベースフレーム及びその上方のトップフレームの外側が隔離ネットで被覆されたことを特徴とする、野菜水耕用棚。
【請求項５】
請求項１記載の野菜水耕用棚において、該水耕箱体は上が広く下が狭い鳩尾状とされたことを特徴とする、野菜水耕用棚。
【請求項６】
請求項１記載の野菜水耕用棚において、該水耕箱体は内部に水と野菜を収容するための収容空間が形成され、該収容空間上が定植板で覆われ、該定植板に上が広く下が狭い複数の定植孔が設けられたことを特徴とする、野菜水耕用棚。
【考案の詳細な説明】
【技術分野】
【０００１】
本考案は一種の野菜水耕用棚に係り、特に、ベースフレームの二つの支柱の間に支持ロッドが設けられてＨ形を形成し、且つベースフレームの四つの支柱に設けられた二つの支持ロッドの間に連接ロッドが設けられ、水耕箱体が二つの支持ロッド及び連接ロッドの上に設置され、ベースフレームの四つの支柱の接続部の挿入溝に別のベースフレームの四つの支柱の接続部を挿入することにより、上下に積み重ねられ、占用空間を節約する目的を達成する、野菜水耕用棚に関する。
【背景技術】
【０００２】
伝統的に野菜、花は、栽培時、土壌を利用して植物に養分を与える。このような栽培方式は土地を利用しなければならず、このため都市の住民は土地取得が容易でない状況にあって、野菜や花の栽培の楽しみを享受することができない。このような栽培方式はまた、植物の根部が土壌下方に向けて伸びるため、摘み取り時に野菜表面に泥土が付着しやすく、洗浄上の不便を形成する。
【０００３】
前述の欠点を改善するため、市場には、栽培箱を利用して野菜を栽培する水耕法が出現し、その栽培方式は、水耕栽培箱中に、野菜養分を供給する水と肥料液を入れて、この液体の水を以て土壌の代わりとし、これにより、野菜栽培上、クリーンに栽培でき、土地の制限も受けないようにしている。
【０００４】
図８を参照されたい。一般に水耕栽培箱は、内部に収容空間Ａ０を具えた箱体Ａとされ、且つ収容空間Ａ０は、複数の穿孔Ａ１１を具えたカバーＡ１で被覆され、並びに収容空間Ａ０内には水Ｂが設置され、カバーＡ１の複数の穿孔Ａ１１はそれぞれ野菜Ｃの栽培に供される。野菜Ｃの根部Ｃ１は収容空間Ａ０内の水Ｂ中に位置し、野菜Ｃの茎部Ｃ２は収容空間Ａ０よりカバーＡ１の穿孔Ａ１１をとおり、上方外部空間へと伸び、野菜Ｃの葉部Ｃ３は箱体Ａ上方へと生長可能で、これにより野菜Ｃが日光照射を受けて光合成作用を行え、且つ野菜Ｃはまたその生長に十分な空間を有する。
【０００５】
現代人はますます健康的な食品に対する関心を高めているが、一般に市販されている野菜のほとんどは、栽培時に農薬散布により害虫を防いでいるため、食用時に残留農薬を接種しやすく、長期間に食用すると、人体に傷害を形成し得る。しかしながら、確実に野菜の残留農薬を洗浄しようとすれば、十分に時間と手間がかかる。ゆえに、ますます多くの人が自分で野菜を栽培しはじめている。
【０００６】
しかし、現代人の住居がますます集中するなか、居住空間が縮減し、野菜を栽培する場所が室内或いはベランダのいずれであっても、洗濯機や冷蔵庫、家具などの物品がすでに放置されているため、利用できる空間は非常に有限である。しかし、一般に水耕栽培箱は直接床に放置できるだけで、空間中には多くの数の水耕栽培箱を設置することはできなかった。
【０００７】
ゆえに、周知の水耕栽培箱の占用空間が多く、その設置数量を増加できない問題と欠点をいかに解決するかが、当業者の研究改善の方向となっている。
【考案の概要】
【考案が解決しようとする課題】
【０００８】
ゆえに、本考案者は上述の問題と欠点を鑑み、関係資料を収集し、多方面の評価と考慮を経て、並びにこの業界における多年の経験を以て、不断の試作と改良を経て、このような積層式を利用して占用空間を節約でき、規定空間中で設置できる水耕箱体水量を増加できる野菜水耕用棚を創作した。
【０００９】
本考案の第１の目的は、矩形の４つの支柱の短辺の二つの支柱の間にそれぞれ支持ロッドを設け、且つ二つの支持ロッドは連接ロッドで連接固定し、水耕箱体を二つの支持ロッドと連接ロッド上に放置できるようにし、且つ四つの支柱の挿入溝に別のベースフレームの四つの保持部を挿入することで位置決めする方式により、複数のベースフレームを上下に積み重ね、これにより規定空間中に放置できる水耕箱体の数量を増し、ひいては野菜水耕用棚の占用空間を節約する目的を達成することにある。
【００１０】
本考案の第２の目的は、上方に積み重ねられた各ベースフレームは連接ロッドの下方に植物ランプを取付けられるようにし、一つのベースフレーム或いは一つ以上が積み重ねられたベースフレームの上方にさらにトップフレームを取付け、トップフレームは保持部を上方のベースフレームの四つの支柱の挿入溝内に整合させて挿入することで位置決めできるようにし、保持部の別側は中央に向けて折り曲げて折り曲げ部を形成し、該折り曲げ部に一つ或いは複数のランプを設置できるようにし、植物ランプと一つ或いは複数のランプにより下向きに光線を発射して、下方の各ベースフレーム上の水耕箱体内で栽培する野菜が、日光照射のない時にも、光線を受けて光合成を行えるようにし、ひいては野菜生長周囲の短縮の目的を達成することにある。
【００１１】
本考案の第３の目的は、該一つ或いは複数のベースフレーム及びトップフレームの外部をさらに隔離ネットで被覆し、隔離ネットは各ベースフレーム上の水耕箱体を隔離でき、外部空間中の害虫が野菜に接近できないようにし、すなわち、野菜が害虫被害により黄化、萎縮、生長の遅延、寿命短縮、枯死などの問題を発生しないようにし、ひいては野菜の表面の見た目、生長速度及び生産量をアップする目的を達成することにある。
【００１２】
本考案の第４の目的は、地面或いは床に接触するベースフレームの四つの支柱の保持部にさらに調整足を設置し、平坦でないところに設置する時に、調整足により高さ調整することで、ベースフレーム上に設置した水耕箱体内部に収容した水を均一に保持し、ひいては野菜生長を均一とする目的を達成することにある。
【００１３】
本考案の第５の目的は、水耕箱体を上が広く下が狭い鳩尾状に設け、複数の水耕箱体を、収容空間に別の水耕箱体の狭い底部を入れて積み重ねられるようにし、堆積して運搬に必要な空間を節約する目的を達成することにある。
【００１４】
本考案の第６の目的は、該水耕箱体を被覆する定植板植えに、上が広く下が狭い複数の定植孔を設け、野菜を複数の定植孔に入れた後に、定植孔内に入れる海綿に下方の狭い部分を塞がせ、これにより海綿が水耕箱体の収容空間内に落ちないようにすることにある。
【課題を解決するための手段】
【００１５】
請求項１の考案は、野菜水耕用棚において、一つ或いは複数のベースフレームと水耕箱体を具え、
該ベースフレームは対向するように矩形に配列される四つの支柱を具え、各支柱の一側に保持部が設けられ、各保持部に高さを調整可能な調整足が設けられ、各支柱の別側に径が拡大された接続部が設けられ、接続部の該保持部から離れた一側に隣り合って積み重ねられるベースフレームの保持部が挿入されて位置決めされる挿入溝が凹設され、短辺の二つの支柱の間は支持ロッドで連接されてＨ形が形成され、さらに二つの該支持ロッドの間に連接ロッドが設けられ、
該水耕箱体は二つの該支持ロッド及び該連接ロッド上に設置され、該水耕箱体の内部に水と野菜を収容するための収容空間が形成され、該収容空間上が定植板で覆われ、該定植板に野菜を伸出させる複数の定植孔が設けられたことを特徴とする、野菜水耕用棚としているとしている。
請求項２の考案は、請求項１記載の野菜水耕用棚において、各該ベースフレームの支持ロッドの中央に固定孔が設けられ、該連接ロッドの２端面に、各該支持ロッドの中央の該固定孔に対応するネジ孔が設けられ、各該ネジ孔内に、先に該支持ロッドの中央の該固定孔に通されたネジ部品がねじ込まれることを特徴とする、野菜水耕用棚としている。
請求項３の考案は、請求項１記載の野菜水耕用棚において、一つ或いは複数の該ベースフレームの上方にさらにトップフレームが取付けられ、該トップフレームに下方の該ベースフレームの挿入溝にアラインされ挿入される保持部が設けられ、この保持部の別側に、中央に向けて折り曲げられた折り曲げ部が延伸され、複数の該折り曲げ部の、ベースフレームに近い一側に一つ或いは複数の、下方の水耕箱体に向けて光線を発射するランプが設けられ、且つ任意のベースフレームは上方に積み重ねられたベースフレームの連接ロッドの下方に植物ランプを取付けられ、該植物ランプは下方のベースフレーム上の水耕箱体に向けて光線を照射することを特徴とする、野菜水耕用棚としている。
請求項４の考案は、請求項１記載の野菜水耕用棚において、一つ或いは複数の該ベースフレームの上方にさらにトップフレームが取付けられ、該トップフレームに下方のベースフレームの挿入溝にアラインされ挿入される保持部が設けられ、該トップフレームの保持部の別側に、中央に向けて折り曲げられた折り曲げ部が延伸され、一つ或いは複数の該ベースフレーム及びその上方のトップフレームの外側が隔離ネットで被覆されたことを特徴とする、野菜水耕用棚としている。
請求項５の考案は、請求項１記載の野菜水耕用棚において、該水耕箱体は上が広く下が狭い鳩尾状とされたことを特徴とする、野菜水耕用棚としている。
請求項６の考案は、請求項１記載の野菜水耕用棚において、該水耕箱体は内部に水と野菜を収容するための収容空間が形成され、該収容空間上が定植板で覆われ、該定植板に上が広く下が狭い複数の定植孔が設けられたことを特徴とする、野菜水耕用棚としている。
【考案の効果】
【００１６】
本考案の野菜水耕用棚は、一つ或いは複数のベースフレームと水耕箱体を具え、該ベースフレームは対向するように矩形に配列される四つの支柱を具え、各支柱の一側に保持部が設けられ、各支柱の別側に比較的大きな外径の接続部が設けられ、接続部の保持部から離れた一側に挿入溝が凹設され、短辺にある二つの支柱の間は支持ロッドで連接され、二つの支柱と支持ロッドがＨ形を呈し、さらに二つの支持ロッドの間に連接ロッドが設けられ、二つの支持ロッドと連接ロッド上に水耕箱体が設置され、ベースフレームは四つの支柱の挿入溝に別のベースフレームの四つの保持部を挿入でき、それにより複数のベースフレームと水耕箱体が上下に積み重ねられ、規定空間中に設置できる水耕箱体の数量を増加でき、これにより野菜水耕の占用空間を節約する目的を達成する。
【図面の簡単な説明】
【００１７】
【図１】本考案の好ましい実施例の立体外観図である。
【図２】本考案の好ましい実施例の立体分解図である。
【図３】本考案の複数のベースフレームの積み重ね前の立体外観図である。
【図４】本考案の複数のベースフレームの積み重ね後の立体外観図である。
【図５】本考案のトップフレームとランプの取付け後の立体外観図である。
【図６】本考案のトップフレームと隔離ネットの取付け後の立体外観図である。
【図７】本考案の水耕箱体の側面断面図である。
【図８】周知の技術の側面断面図である。
【考案を実施するための形態】
【００１８】
本考案の技術内容、構造特徴、達成する目的を詳細に説明するため、以下に実施例を挙げ並びに図面を組み合わせて説明する。
【００１９】
図１、２、５を参照されたい。これらは本考案の好ましい実施例の立体外観図、立体分解図、トップフレーム及びランプの取付け後の立体外観図である。図から明かに分かるように、この野菜水耕用棚は、一つ或いは複数のベースフレーム１、一つ或いは複数の水耕箱体２及びトップフレーム３を包含する。
【００２０】
該一つ或いは複数のベースフレーム１は、相互に対向し矩形状に配列された四つの支柱１１を有する。各支柱１１の一側には物品に接触し支持を形成する保持部１１１が設けられている。保持部１１１にはさらに、高さを調整できる調整足１１１１が設置され得る。各支柱１１の別側には比較的大きな外径の接続部１１２が設けられている。該接続部１１２の保持部１１１より離れた一側には隣り合って積み重ねられるベースフレーム１の保持部１１１を置き入れて位置決めできる挿入溝１１３が形成されている。
【００２１】
短辺の二つの支柱１１の間には、中央固定孔１２１を具えた支持ロッド１２が設けられ、二つの支柱１１と支持ロッド１２が共同でＨ形を呈し、さらに、二つの支持ロッド１２の間に連接ロッド１３が設けられ、該連接ロッド１３の二端面に各支持ロッド１２の中央固定孔１２１にアラインするネジ孔１３１が設けられ、各ネジ孔１３１内に先に支持ロッド１２の中央固定孔１２１に通されたネジ部品１３２がねじ込まれ、連接ロッド１３の下方に植物ランプ１３３が設けられている。
【００２２】
該水耕箱体２は、上が広く下が狭い鳩尾状を呈し、且つ水耕箱体２内部に水と野菜を収納する収容空間２０が形成され、且つ収容空間２０上は定植板２１で被覆され、定植板２１には上が広く下が狭く且つ野菜を伸出させるための複数の定植孔２１１が設けられている。定植孔２１１内に海綿２１２を設置する時、上が広く下が狭い定植孔２１１により海綿２１２が位置決めされる。
【００２３】
該トップフレーム３は一つ或いは複数のベースフレーム１の上方に取付けられる。トップフレーム３にはベースフレーム１の挿入溝１１３にアラインし挿入される保持部３１が設けられ、保持部３１の別側には、中央に向けて連続して折り曲げられる折り曲げ部３２が延伸され、折り曲げ部３２のベースフレーム１に隣接する一側には一つ或いは複数のランプ３３が設けられている。
【００２４】
上述の各部品が組み立てられる時、二組のＨ形の、二つの支柱１１と支持ロッド１２の組合せが直立させられ、且つ連接ロッド１３の二側のネジ孔１３１がそれぞれ二つの支持ロッド１２の固定孔１２１にアラインされ、さらに二つのネジ部品１３２がそれぞれ二つの支持ロッド１２の固定孔１２１に通された後に、連接ロッド１３の二側のネジ孔１３１にねじ込まれ、こうして連接ロッド１３の二側が二つの支持ロッド１２に保持される。さらに水耕箱体２が四つの支柱１１の間に置かれ、水耕箱体２の底面が二つの支持ロッド１２及び連接ロッド１３の上表面に接触させられ、こうして本考案の組立動作が完成する。
【００２５】
分解時には、まず水耕箱体２が取り外され、さらに、二つのネジ部品１３２が取り外されて、分解が完成し、これにより、組立分解に便利で収納時の占用空間を減らす目的を達成できる。
【００２６】
上述の各支柱１１の接続部１１２は、一体成形で形成されるか、別個に製造されてからネジ止め、溶接などの方式で、支柱１１に固定され得る。且つ二つの支柱１１の間に、一体成形、ネジ止め、溶接などの方式で、支持ロッド１２が固定され、それは固定後に外力が加わることでだ釣りするのを防止する機能を有すればよく、これにより本考案の権利範囲を制限せず、その他の修飾及び同等の構造変化の利用は、いずれも本考案の権利請求範囲内に属することを、ここに明かにしておく。
【００２７】
図２、３、４に示されるのは、本考案の好ましい実施例の立体分解図、複数のベースフレームが積み重ねられる前の立体外観図、複数のベースフレームが積み重ねられた後の立体外観図である。図から明かであるように、複数のベースフレーム１及び水耕箱体２を積み重ねる必要がある時は、まず、ベースフレーム１及び水耕箱体２を所定位置に置き、且つ別のベースフレーム１及び水耕箱体２をベースフレーム１及び水耕箱体２の上方に移動させ、別のベースフレーム１の四つの支柱１１の保持部１１１を下方のベースフレーム１の四つの挿入溝１１３にアラインさせて、挿入する。こうして積み重ねを完成でき、現代人の居住空間が漸減し、屋内或いはベランダの空間のいずれもが縮減する状況にあっても、この方式を利用して有限空間中で水耕箱体２の設置数量を増加することができる。
【００２８】
また、地面或いは床に接触するベースフレーム１は、四つの支柱１１の保持部１１１にさらに調整足１１１１が設置される。地面或いは床が平坦でない状況では、各ベースフレーム１に設置された水耕箱体２内部に収容された水が傾斜し得るため、各支柱１１の調整足１１１１により、水耕箱体２の水を均一状とすることができ、水耕箱体２で栽培する複数の野菜を均一に生長させ、同時に収穫できるようにする。
【００２９】
図２、４、５は本考案の好ましい実施例の立体分解図、複数のベースフレームが積み重ねられた後の立体外観図、トップフレーム及びランプが取り付けられた後の立体外観図である。図から明かであるように、該野菜水耕用棚が室内に設置される時、蚊や蝶、蛾などの害虫は確実に室外に隔離され、もし害虫が室内に進入してもその数量は室外に較べて少なく、隔離ネット４を取り付ける必要はない。
【００３０】
一つ或いは複数が積み重ねられたベースフレーム１の上方にはさらにトップフレーム３を設置でき、該トップフレーム３は保持部３１を上方のベースフレーム１の支柱１１の接続部１１２にアラインさせ、並びに保持部３１を各接続部１１２の挿入溝１１３内に挿入することで、トップフレーム３のランプ３３に、下方の各水耕箱体２内の野菜に向けて光線を発射させられ、且つ上方に積み重ねられたベースフレーム１は、連接ロッド１３の下方に植物ランプ１３３を設置でき、上方のベースフレーム１の植物ランプ１３３に下方のベースフレーム１に設置した水耕箱体２の野菜に向けて光線を提供させて、野菜に光合成させて、野菜の生長周期を短縮させることができる。
【００３１】
さらに、図２、４、６は、本考案の好ましい実施例の立体分解図、複数のベースフレーム積み重ね後の立体外観図、トップフレーム及び隔離ネット取付け後の立体外観図である。図から明かであるように、該野菜水耕用棚が室外に設置される時、日光が直接野菜に照射するため、余分に発光設備を取り付ける必要はなく、一つ或いは複数のベースフレーム１は、上方のベースフレーム１にランプ３３を具備しないトップフレーム３が取付けられ、並びに外部が隔離ネット４で被覆される。
【００３２】
隔離ネット４でベースフレーム１上の水耕箱体２及び外部空間が隔離されて、蚊や蝶、蛾などの害虫が隔離ネット４を通り抜けることができず、これにより害虫が野菜に影響を与えて、黄化、萎縮、生長遅延、寿命短縮、枯死をもたらすのを防止でき、これにより、野菜の表面の見た目、生長速度、及び生産量をアップする目的を達成できる。
【００３３】
図７は本考案の水耕箱体の側面断面図である。図から明かであるように、該水耕箱体２は上が広く下が狭い鳩尾状とされ、該複数の水耕箱体２は未使用状態で運搬される時、水耕箱体２の収容空間２０に別の水耕箱体２の比較的狭い底部が同じ方向で挿入され、これにより空間節約の効果が達成される。
【００３４】
水耕箱体２の定植板２１には上が広く下が狭い複数の定植孔２１１が設けられ、野菜を入れた後に、海綿２１２で複数の定植孔２１１内が塞がれて、野菜が位置決めされ、野菜に偏りが発生するのが防止され、製品が良好な品質を有するものとされ、且つ下方の狭い定植孔２１１は海綿２１２が嵌合され、海綿２１２が水耕箱体２の収容空間２０内に落ちるのが防止される。
【００３５】
上述の本考案の野菜水耕用棚は実際の使用時に、以下のような各長所を有している。
（一）組立時に、二組のＨ形の二つの支柱１１と支持ロッド１２は連接ロッド１３を利用してアラインされ、並びに二つのネジ部品１３２によりネジ止めされた後、水耕箱体２が置かれ、順に水耕箱体２と二つのネジ部品１３２を取り外せば、分解できる。このように組立分解がスピーディーで、且つベースフレーム１の四つの支柱１１の挿入溝１１３に別のベースフレーム１の四つの保持部１１１を挿入する方式で積み重ねることができ、こうして、有限な空間中に設置できる水耕箱体２の数量を増加できる。
（二）上方に積み重ねられた各ベースフレーム１は連接ロッド１３の下方に植物ランプ１３３を取り付けることができ、植物ランプ１３３により下方のベースフレーム１に取付けられた水耕箱体２に対して光線を発射でき、且つ一つのベースフレーム或いは複数の積み重ねられたベースフレーム１の上方にさらにトップフレーム３が取付けられ、トップフレーム３は保持部３１が上方のベースフレーム１の支柱１１の挿入溝１１３にアラインされ、挿入されることで、組立が完成し、組立に便利であるのみならず、四つの保持部３１の別側の折り曲げ部３２にも一つ或いは複数のランプ３３を取り付けられ、ランプ３３の発射する下向きの光線が、各水耕箱体２内の野菜に照射され、すなわち、野菜水耕用棚を室内に設置する時にも、野菜に光合成を行わせることができる。
（三）一つ或いは複数のベースフレーム１及びランプ３３を具備しないトップフレーム３外部を隔離ネット４で被覆でき、隔離ネット４でベースフレーム１上の水耕箱体２及び外部空間を隔離し、外部の蝶や蛾などの害虫が隔離ネット４を通り抜けられないことから、害虫の水耕箱体２内の野菜に対する影響を防止でき、害虫による黄化、萎縮、生長遅延、寿命短縮、枯死などの問題を防止できる。
（四）地面或いは床に接触するベースフレーム１は、四つの支柱１１の保持部１１１にさらに調整足１１１１が設けられ得て、調整足１１１１により高さ調整することで、ベースフレーム１が不平坦な地面或いは床に設置される時にも、ベースフレーム１に設置された水耕箱体２内部の水を均一状に保持できる。
（五）水耕箱体２が上が広く下が狭い鳩尾状とされ、複数の水耕箱体２を運搬する時、水耕箱体２の収容空間２０に別の水耕箱体２の狭い底部を同じ方向に収容でき、これにより水耕箱体２を積み重ねる効果を達成できる。
（六）水耕箱体２を覆う定植板２１に上が広く下が狭い複数の定植孔２１１が設けられたことで、定植孔２１１に野菜が入れられた後、海綿２１２で塞ぎ、且つ海綿２１２を定植孔２１１下方の狭い部分に保持することができ、海綿２１２の水耕箱体２の収容空間２０内への落下を防止できる。
【００３６】
ゆえに、本考案は、野菜水耕用棚に対し、四つの支柱１１と二つの支持ロッド１２で二つのＨ形を形成し、且つ二つの支持ロッド１２の間を連接ロッド１３を利用して固定してベースフレーム１を形成し、水耕箱体２をベースフレーム１の二つの支持ロッド１２と連接ロッド１２の上に設置できるようにし、ベースフレーム１は四つの支柱１１の一側の接続部１１２の挿入溝１１３に、別のベースフレーム１の四つの支柱１１の保持部１１１を挿入することにより、ベースフレーム１を積み重ねられるようにし、これにより、野菜水耕が占用する空間を減少することを主要な保護の重点としている。
【００３７】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【００３８】
総合すると、本考案の上述の野菜水耕用棚は使用時に、確実にその作用効果と目的を達成し、ゆえに本考案は実用性に優れた考案であり、実用新案登録の要件に符合する。
【符号の説明】
【００３９】
１  ベースフレーム
１１  支柱                        １２１  固定孔
１１１  保持部                    １３  連接ロッド
１１１１  調整足                  １３１  ネジ孔
１１２  接続部                    １３２  ネジ部品
１１３  挿入溝                    １３３  植物ランプ
１２  支持ロッド
２  水耕箱体
２０  収容空間                    ２１１  定植孔
２１  定植板                      ２１２  海綿
３  トップフレーム
３１  保持部                      ３３  ランプ
３２  折り曲げ部
４  隔離ネット
Ａ  箱体
Ａ０  収容空間                    Ａ１１  穿孔
Ａ１  カバー
Ｂ  水
Ｃ  野菜
Ｃ１  根部                        Ｃ３  葉部
Ｃ２  茎部
【図１】
0003166263.tif 000003
【図２】
0003166263.tif 000004
【図３】
0003166263.tif 000005
【図４】
0003166263.tif 000006
【図５】
0003166263.tif 000007
【図６】
0003166263.tif 000008
【図７】
0003166263.tif 000009
【図８】
0003166263.tif 000010